(57)【要約】【課題】           簡素な構造で蓋体を開閉駆動することできる一方、手では開けにくい種々の蓋体を容易に開閉操作することができると共に、手で直接に触れると汚れやすい蓋体を手を汚すことなく開閉することができる蓋体開閉装置。【解決手段】      台座２に開閉連結部１３を中心に往復開閉自在に蓋体１を連結した蓋体開閉装置において、蓋体１に一体に旋回する従動部１５を設ける一方、台座２に、蓋体閉じ位置と蓋体開き位置との中間位置で開き駆動部５１と閉じ駆動部５２が従動部１５の両側に位置して開閉駆動を終了する開閉駆動部を先端部に有すると共に、後端部に操作部５５を有する開閉駆動部材５を設けてなるスタンプ台等の蓋体開閉装置。【選択図】        図２
2008127037.tif 000002
【特許請求の範囲】
【請求項１】
台座に対して閉じ位置と開き位置との間を開閉連結部を中心に往復開閉自在に蓋体を連結した蓋体開閉装置において、蓋体に、開閉連結部を中心に蓋体と一体に旋回する従動部を設ける一方、台座に、蓋体閉じ位置において従動部の一側面の開き側面部に開き駆動部が当接し、蓋体開き位置において従動部の他側面の閉じ側面部に閉じ駆動部が当接し、蓋体閉じ位置と蓋体開き位置との中間位置で開き駆動部と閉じ駆動部が従動部の両側に位置して開閉駆動を終了する開閉駆動部を先端部に有すると共に、後端部に蓋体閉じ位置と蓋体開き位置とにおいて駆動開始位置に位置する操作部を有する開閉駆動部材を設けてなるスタンプ台等の蓋体開閉装置。
【請求項２】
請求項１に記載の蓋体開閉装置において、開閉駆動部の開き駆動部と閉じ駆動部とを開閉連結部の中心の旋回軸心を間に同一回転位置に一体に開閉駆動部材に設け、開閉駆動時において蓋体開き位置と蓋体閉じ位置の中間位置で従動部を開き駆動部と閉じ駆動部との間に位置せしめて開放可能に開閉駆動を終了すると共に、蓋体を開閉駆動の慣性力によって中間位置から蓋体開き位置又は蓋体閉じ位置に旋回し、同時に従動部により開き駆動部又は閉じ駆動部を押し倒して操作部を伴って開閉駆動部材を開閉駆動開始位置に復帰回転駆動するように構成してなるスタンプ台等の蓋体開閉装置。
【請求項３】
請求項１又は２に記載の蓋体開閉装置において、蓋体開き位置と蓋体閉じ位置の中間位置を境に蓋体に開き方向又は閉じ方向に切り替わるばね弾力を付与してなるスタンプ台等の蓋体開閉装置。
【請求項４】
請求項１、２又は３に記載の蓋体開閉装置において、開閉駆動部材の開閉駆動部と操作部との間に蓋体に弾性的に旋回力を付与するばね弾力を付与してなるスタンプ台等の蓋体開閉装置。
【請求項５】
請求項４に記載の蓋体開閉装置において、開閉駆動部材の開閉駆動部と操作部をねじり弾力を有するばね線材で連結してなるスタンプ台等の蓋体開閉装置。
【発明の詳細な説明】
【技術分野】
【０００１】
本発明は、手で直接持って開閉すると手が汚れたり、汚損する恐れがある蓋体、手で直接持って開閉し難い構造や状況のある蓋体、開いた直後に閉じておきたい蓋体等に適した化粧品容器、ゴミ容器、揮発性物容器、スタンプ台等の蓋体開閉装置に関する。
【背景技術】
【０００２】
一個の押しボタンによって蓋体を開閉操作するようにした蓋体開閉装置は知られている（特許文献１参照。）
この蓋体開閉装置は、押しボタンを弾力部材の復帰弾力に抗して押し込むと、押し棒部材の先端が押しボタンに近い距離位置にある蓋体の開き溝を押圧して、蓋体をヒンジ連結部の軸心を中心に回転して開放すると共に、弾力部材の復帰弾力により復帰した押しボタンを再度押し込むと、押し棒部材の先端が蓋体が閉じて近い距離に位置する閉じ溝を押圧して、蓋体をヒンジ連結部の軸心を中心に回転して閉じる構成であり、このとき、開閉切り換え部材が、前記押し棒部材の先端を蓋体の開閉に伴って閉じ状態の蓋体の開き溝と開き状態の蓋体の閉じ溝に切り換えて係合させる構成である。
【特許文献１】特開平６−３２１２４６号公報
【発明の開示】
【発明が解決しようとする課題】
【０００３】
この従来装置では、蓋体に開閉に伴って押しボタンに遠近する開き溝や閉じ溝を設ける必要があり、閉じた蓋体の下側に、押し棒部材、弾力部材、開閉切り換え部材を必要とし、構造が複雑になる課題があった。
【課題を解決するための手段】
【０００４】
そこで、本発明は、請求項１に記載のように、台座に対して閉じ位置と開き位置との間を開閉連結部を中心に往復開閉自在に蓋体を連結した蓋体開閉装置において、蓋体に、開閉連結部を中心に蓋体と一体に旋回する従動部を設ける一方、台座に、蓋体閉じ位置において従動部の一側面の開き側面部に開き駆動部が当接し、蓋体開き位置において従動部の他側面の閉じ側面部に閉じ駆動部が当接し、蓋体閉じ位置と蓋体開き位置との中間位置で開き駆動部と閉じ駆動部が従動部の両側に位置して開閉駆動を終了する開閉駆動部を先端部に有すると共に、後端部に蓋体閉じ位置と蓋体開き位置とにおいて駆動開始位置に位置する操作部を有する開閉駆動部材を設けてなるスタンプ台等の蓋体開閉装置を提供するものである。
【０００５】
また、本発明は、請求項２に記載のように、請求項１に記載の蓋体開閉装置において、開閉駆動部の開き駆動部と閉じ駆動部とを開閉連結部の中心の旋回軸心を間に同一回転位置に一体に開閉駆動部材に設け、開閉駆動時において蓋体開き位置と蓋体閉じ位置の中間位置で従動部を開き駆動部と閉じ駆動部との間に位置せしめて開放可能に開閉駆動を終了すると共に、蓋体を開閉駆動の慣性力によって中間位置から蓋体開き位置又は蓋体閉じ位置に旋回し、同時に従動部により開き駆動部又は閉じ駆動部を押し倒して操作部を伴って開閉駆動部材を開閉駆動開始位置に復帰回転駆動するように構成してなるスタンプ台等の蓋体開閉装置を提供するものである。
【０００６】
また、本発明は、請求項３に記載のように、請求項１又は２に記載の蓋体開閉装置において、蓋体開き位置と蓋体閉じ位置の中間位置を境に蓋体に開き方向又は閉じ方向に切り替わるばね弾力を付与してなるスタンプ台等の蓋体開閉装置を提供するものである。
【０００７】
また、本発明は、請求項４に記載のように、請求項１、２又は３に記載の蓋体開閉装置において、開閉駆動部材の開閉駆動部と操作部との間に蓋体に弾性的に旋回力を付与するばね弾力を付与してなるスタンプ台等の蓋体開閉装置を提供するものである。
【０００８】
また、本発明は、請求項５に記載のように、請求項４に記載の蓋体開閉装置において、開閉駆動部材の開閉駆動部と操作部をねじり弾力を有するばね線材で連結してなるスタンプ台等の蓋体開閉装置を提供するものである。
【発明の効果】
【０００９】
本発明に係るスタンプ台等の蓋体開閉装置によれば、請求項１に記載のように、台座に対して閉じ位置と開き位置との間を開閉連結部を中心に往復開閉自在に蓋体を連結した蓋体開閉装置において、蓋体に、開閉連結部を中心に蓋体と一体に旋回する従動部を設ける一方、台座に、蓋体閉じ位置において従動部の一側面の開き側面部に開き駆動部が当接し、蓋体開き位置において従動部の他側面の閉じ側面部に閉じ駆動部が当接し、蓋体閉じ位置と蓋体開き位置との中間位置で開き駆動部と閉じ駆動部が従動部の両側に位置して開閉駆動を終了する開閉駆動部を先端部に有すると共に、後端部に蓋体閉じ位置と蓋体開き位置とにおいて駆動開始位置に位置する操作部を有する開閉駆動部材を設けてなる構成を有することにより、蓋体閉じ位置において、駆動開始位置に位置する開閉駆動部材の操作部を押しボタン等により操作して開き駆動部により、蓋体と一体に旋回する従動部を閉じ位置から開き位置に向かって旋回させ、蓋体閉じ位置と蓋体開き位置との中間位置で従動部を開放すると、蓋体はその勢いで閉じ位置に向かって旋回を継続し、開き位置に達することとなり、同時に従動部の閉じ側面部で閉じ駆動部を押し回して開閉駆動部材を駆動開始位置に復帰回動し、この蓋体開き位置において、再度前記押しボタン等により駆動開始位置に位置する開閉駆動部材の操作部を操作して閉じ駆動部により、蓋体と一体に旋回する従動部を開き位置から閉じ位置に向かって旋回させ、蓋体開き位置と蓋体閉じ位置との中間位置で従動部を開放すると、蓋体はその勢いで閉じ位置に向かって旋回を継続し、同時に従動部の開き側面部で開き駆動部を押し回して開閉駆動部材を駆動開始位置に復帰回動し、開き位置に達することとなり、先端部に開閉駆動部を有すると共に後端部に操作部を有する一個の開閉駆動部材によって簡素な構造で蓋体を開閉駆動することできる効果がある一方、手では開けにくい種々の蓋体を開閉駆動部材で容易に開閉操作することができると共に、手で直接に触れると手が汚れやすい開閉蓋体を手を汚すことなく開閉することができる等の効果がある。
【００１０】
また、本発明は、請求項２に記載のように、請求項１に記載の蓋体開閉装置において、開閉駆動部の開き駆動部と閉じ駆動部とを開閉連結部の中心の旋回軸心を間に同一回転位置に一体に開閉駆動部材に設け、開閉駆動時において蓋体開き位置と蓋体閉じ位置の中間位置で従動部を開き駆動部と閉じ駆動部との間に位置せしめて開放可能に開閉駆動を終了すると共に、蓋体を開閉駆動の慣性力によって中間位置から蓋体開き位置又は蓋体閉じ位置に旋回し、同時に従動部により開き駆動部又は閉じ駆動部を押し回して操作部を伴って開閉駆動部材を開閉駆動開始位置に復帰回転駆動することができ、蓋体開き位置又は蓋体閉じ位置において開閉駆動部材を開閉駆動開始位置に自動的に復帰させることができる効果がある。
【００１１】
また、本発明は、請求項３に記載のように、請求項１又は２に記載の蓋体開閉装置において、蓋体開き位置と蓋体閉じ位置の中間位置を境に蓋体に開き方向又は閉じ方向に切り替わるばね弾力を付与してなる構成を有することにより、例えば、台座に山形の板ばね等からなるばね弾性部材を設け、蓋体の旋回の中間位置で従動部の端部が山形の板ばね等を乗り越えることによって、乗り越えた後で蓋体に開き方向又は閉じ方向に切り替わる板ばね等のばね弾力を付与して、蓋体を開き位置又は閉じ位置に旋回するのを補助することができる効果がある。
【００１２】
また、本発明は、請求項４に記載のように、請求項１、２又は３に記載の蓋体開閉装置において、開閉駆動部材の開閉駆動部と操作部との間に蓋体に弾性的に旋回力を付与するばね弾力を付与してなる構成を有することにより、開閉駆動時にばね弾力を伴って蓋体を旋回駆動することができ、蓋体を軽快に開閉操作することができる効果がある。
【００１３】
また、本発明は、請求項５に記載のように、請求項４に記載の蓋体開閉装置において、開閉駆動部材の開閉駆動部と操作部をねじり弾力を有するばね線材で連結してなる構成を有することにより、開閉駆動部材の開閉駆動部と操作部との間に簡単に蓋体に弾性的に旋回力を付与するばね弾力を付与することができる効果がある。
【発明を実施するための最良の形態】
【００１４】
以下図示する実施例のより、本発明に係る蓋体開閉装置を説明する。
【実施例１】
【００１５】
図に記載のスタンプ台の蓋体開閉装置の実施例のおいて、蓋体１は、図１及び図２に記載のように、台座２に対して閉じ位置と開き位置との間を開閉連結部４を中心に往復開閉自在に設けてある。
実施例の場合、図３及び図４に記載のように、台座２はその上面にスタンプ台枠３を一体に備えており、蓋体１は実質的にはスタンプ台枠３を開閉するように構成してある。スタンプ台枠３には図では省略したスタンプ台が嵌着されて使用される。
【００１６】
蓋体１と台座２との開閉連結部４は、台座２の上向きの軸受枠２１、２２の軸受溝２３とスタンプ台枠３の下向きの軸受枠３１、３２の軸受溝３３との間に、蓋体１の連結枠１１、１２に設けたヒンジ軸１３を挟持する形で回転自在に軸受けするように構成してある。
１４は蓋体１の開閉連結部４の両側に設けたカバー枠部である。
【００１７】
蓋体１には、開閉連結部４の回転中心に位置して蓋体１と一体に旋回する従動部１５が設けてあり、図４において、従動部１５はほぼ閉じた状態の蓋体１とほぼ平行な水平状態に設けてあり、従動部１５の上面側が閉じ側面部１５ａで、下側面側が開き側面部１５ｂとなっている（図５又は図６参照。）。
また、台座２には、蓋体閉じ位置で従動部１５の下側の開き側面部１５ｂが相対すると共に、蓋体開き位置において従動部１５の下側の閉じ側面部１５ａが相対する部分に、側面板部２４が設けてあり、従動部１５は蓋体１の回転に伴って側面板部２４の上方で回転可能である。
【００１８】
前記従動部１５と側面板部２４との間には、開閉駆動部材５の開き駆動部５１と閉じ駆動部５２がヒンジ軸１３の軸心と直交する方向の回転軸心を中心に回転するように設けてあり、蓋体１及び従動部１５が側面板部２４と平行するほぼ水平な開閉駆動開始位置と、蓋体１及び従動部１５が側面板部２４に直交するほぼ垂直な蓋体開閉中間位置の開閉駆動終了位置との間で、往復回転可能に設けてある。
開閉駆動部材５は、実施例の場合、ねじり弾性を有するばね線材からなる回転軸部５３を具備し、回転軸部５３は台座２の側面板部２４の一端側に沿って設けた軸受溝２５と２６に装着して、その上から前記スタンプ台枠３を台座２に嵌着することにより、開閉駆動開始位置と駆動終了位置との間で往復回転可能に軸受けされている。
【００１９】
図６の蓋体１が開いた状態で、開閉駆動開始位置の開閉駆動部材５の先端方向の閉じ駆動部５２が従動部１５の閉じ側面部１５ａに相対しており、手前側の開き駆動部５１は従動部１５の手前側に外れて位置するように配置してあり、図６において、閉じ駆動部５２を時計方向に回転すると、閉じ駆動部５２によって従動部１５はヒンジ軸１３の軸心１３ａを中心に反時計方向の閉じ方向に旋回して、図５の開閉中間位置で旋回駆動を終了し、引き続き蓋体１の慣性力によって従動部１５が閉じ方向に向かって旋回して、開き駆動部５１を従動部１５の開き側面部１５ｂで押し倒しながら、今度は図６において従動部１５の開き側面部１５ｂで開き駆動部５１をほぼ水平に押し倒した状態で、先端側の閉じ駆動部５２は従動部１５の先方に外れて位置するように配置してあり、開閉駆動部材５を元の開閉駆動開始位置に復帰させるように構成してある。
実施例の場合、開閉駆動部材の開閉駆動部５１，５２は、回転軸部５３に連なる線材を開き駆動部５１で二重に折り曲げ、連結部５４を経て閉じ駆動部５２で二重に折り曲げて簡素に成形してある。
【００２０】
開閉駆動部材５の手前側には回転軸部５３からクランク式に屈曲した操作部５５が設けてあり、前記開閉駆動部５１，５２に対して時計方向に９０&deg;を越えて、好ましくは、１００&deg;から１６０&deg;程度の角度に設けてあり、図６の９０&deg;以上に傾斜した操作部５５を水平方向に向かって時計方向に回転操作したとき、水平状態の開閉駆動部５１，５２を時計方向に回転するように構成してあり、操作部５５がほぼ水平になった駆動終了状態で、図５に記載のように、開閉駆動部５１，５２が時計方向において９０&deg;以下の、好ましくは３０&deg;から８０&deg;の反転可能な角度で、ほぼ９０&deg;に傾斜して更に蓋体１と共に旋回駆動をする従動部１５に押し倒されて、操作部５５が開閉駆動開始位置に復帰することができるように構成してある。
【００２１】
なお、図５の記載において、操作部５５が駆動を終了したほぼ水平な駆動終了位置において、開閉駆動部５１，５２の起立角度は、開閉駆動部５１，５２と従動部１５の開閉側面部１５ｂ，１５ａの間隔、或いは、当接する開閉駆動部５１，５２と開閉側面部１５ｂ，１５ａの摩擦抵抗の大小によって適宜に変更可能である。
図１乃至図４において、操作部５５は、台座２の軸受溝部２６の外方の押しボタン枠部２７内に突出して、押しボタン枠部２７内に回転軸部５３とほぼ平行に遠く離れて設けた支点軸２８に、一端部を軸受部３４で支持された押しボタン３５の下側に当接してあり、したがって、押しボタン３５の他端部は操作部５５で支持され、且つ、押しボタン３５は操作部５５を介して開閉駆動部材５の回転軸部５３のねじりばね弾力を受けて弾性的に支持されるように構成してある。
【００２２】
押しボタン３５の軸受部３４側の上面凹部３６には、スタンプ台枠３の手前側に突設した水平板状の押え板３７が設けてあると共に、先端部側の先端凹部３８には同様に水平板状の押え板３９が設けてあり、押しボタン３５の押しボタン部が押え板３７，３９の間に面一若しくは突出して位置するように構成してある。
２９は押しボタン３５を復帰可能に押し下げることができるように押しボタン枠部２７に設けた操作切り欠き部である。
【実施例２】
【００２３】
なお、図では省略したが、蓋体開閉装置において、蓋体開き位置と蓋体閉じ位置の中間位置を境に蓋体１に開き方向又は閉じ方向に切り替わるばね弾力を付与してなる構成を付加することにより、例えば、台座２に山形の板ばねからなるばね弾性部材を設け、蓋体１の開閉駆動時に、蓋体１の旋回の中間位置まで従動部１５の先端部が、山形の板ばねのばね弾力に抗して開閉駆動部材５によって板ばねの山を乗り越えるまで旋回駆動され、乗り越えた後では、板ばねのばね弾力を受けて従動部１５と蓋体１に引き続いて開き方向又は閉じ方向に板ばねのばね弾力を付与して、蓋体１を開き位置又は閉じ位置に旋回するのを補助すると共に、蓋体１をばね弾力で開き位置又は閉じ位置に付勢しておく構成にすることができる。
【図面の簡単な説明】
【００２４】
【図１】本発明装置の一実施例の一作動状態を示す概略側面図。
【図２】その平面図。
【図３】その一分解斜視図。
【図４】その他の分解斜視図。
【図５】その要部の一作動状態を示す概略斜視図。
【図６】その要部の他の作動状態を示す概略斜視図。
【符号の説明】
【００２５】
１      蓋体
２      台座
３      スタンプ台枠
４      開閉連結部
５      開閉駆動部材
１１，１２    連結枠
１３    ヒンジ軸
１４    カバー枠部
１５    従動部
２１，２２    軸受枠
２３    軸受部
２４    側面板部
２５，２６    軸受溝
２７    押しボタン枠部
２８    支点軸
２９    操作切り欠き部
３１，３２    軸受枠
３３    軸受溝
３４    軸受溝
３５    押しボタン
３６    上面凹部
３７    押え板
３８    先端凹部
３９    押え板
５１    開き駆動部
５２    閉じ駆動部
５３    回転軸部
５４    連結部
５５    操作部  
【図１】
2008127037.tif 000003
【図２】
2008127037.tif 000004
【図３】
2008127037.tif 000005
【図４】
2008127037.tif 000006
【図５】
2008127037.tif 000007
【図６】
2008127037.tif 000008
【手続補正書】
【提出日】平成18年11月22日(2006.11.22)
【手続補正１】
【補正対象書類名】明細書
【補正対象項目名】００２０
【補正方法】変更
【補正の内容】
【００２０】
開閉駆動部材５の手前側には回転軸部５３からクランク式に屈曲した操作部５５が設けてあり、前記開閉駆動部５１，５２に対して時計方向に９０度を越えて、好ましくは、１００度から１６０度程度の角度に設けてあり、図６の９０度以上に傾斜した操作部５５を水平方向に向かって時計方向に回転操作したとき、水平状態の開閉駆動部５１，５２を時計方向に回転するように構成してあり、操作部５５がほぼ水平になった駆動終了状態で、図５に記載のように、開閉駆動部５１，５２が時計方向において９０度以下の、好ましくは３０度から８０度の反転可能な角度で、ほぼ９０度に傾斜して更に蓋体１と共に旋回駆動をする従動部１５に押し倒されて、操作部５５が開閉駆動開始位置に復帰することができるように構成してある。